(57)【要約】【課題】認証成功時動作が不正に実行される可能性を低減することが可能な無線通信システムを提供すること。【解決手段】無線通信システム１００は、複数の移動局装置１１０ａ，１１０ｂ，…と基地局装置１２０と認証対象装置１３０とを含む。基地局装置は移動局装置と無線通信することにより移動局装置間の通信を中継する。基地局装置及び認証対象装置は互いに通信可能に構成される。基地局装置は、移動局装置を識別するための移動局装置識別子と認証対象装置を識別するための認証対象装置識別子とを対応付けて記憶する（１２１）。基地局装置は、無線通信可能な状態にある移動局装置を検出する（１２２）。基地局装置は検出された移動局装置と対応付けられた認証対象装置へ認証成功情報を送信する（１２３）。認証対象装置は、認証成功情報を受信した場合、認証成功時動作を実行する（１３１）。【選択図】図１０
2010268276.tif 000002
【特許請求の範囲】
【請求項１】
複数の移動局装置と、当該移動局装置と無線通信することにより当該移動局装置と他の移動局装置との間の通信を中継する基地局装置と、認証対象装置と、を含む無線通信システムであって、
前記基地局装置及び前記認証対象装置は、互いに通信可能に構成され、更に、
前記基地局装置は、
前記移動局装置を識別するための移動局装置識別子と、前記認証対象装置を識別するための認証対象装置識別子と、を対応付けて記憶する識別子記憶手段と、
当該基地局装置と無線通信可能な状態にある移動局装置を検出する移動局装置検出手段と、
前記検出された移動局装置を識別するための移動局装置識別子と対応付けられた認証対象装置識別子により識別される認証対象装置へ、認証が成功した旨を表す認証成功情報を送信する認証成功情報送信手段と、
を備え、
前記認証対象装置は、
前記基地局装置から前記認証成功情報を受信した場合、所定の認証成功時動作を実行する動作実行手段を備える無線通信システム。
【請求項２】
請求項１に記載の無線通信システムであって、
前記基地局装置は、フェムトセルを構成する基地局装置である無線通信システム。
【請求項３】
請求項１又は請求項２に記載の無線通信システムであって、
前記識別子記憶手段は、前記移動局装置識別子と、前記認証対象装置識別子と、前記認証成功時動作を特定するための動作特定情報と、を対応付けて記憶するように構成され、
前記認証成功情報送信手段は、前記検出された移動局装置を識別するための移動局装置識別子と対応付けられた認証対象装置識別子により識別される認証対象装置へ、当該移動局装置識別子と対応付けられた動作特定情報を含む前記認証成功情報を送信するように構成され、
前記動作実行手段は、前記基地局装置から前記認証成功情報を受信した場合、当該認証成功情報に含まれる動作特定情報により特定される認証成功時動作を実行するように構成された無線通信システム。
【請求項４】
請求項１乃至請求項３のいずれか一項に記載の無線通信システムであって、
前記基地局装置は、
前記認証成功情報を前記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を備え、
前記移動局装置は、
前記認証成功通知を受信し、当該受信した認証成功通知を出力する認証成功通知出力手段を備える無線通信システム。
【請求項５】
請求項４に記載の無線通信システムであって、
前記認証成功通知出力手段は、
前記認証成功通知を受信した場合、前記認証成功時動作の実行を停止する旨を指示する停止指示情報の入力を促す情報を出力するように構成され、
前記移動局装置は、更に、
前記停止指示情報が入力された場合、前記認証成功時動作の実行を停止する旨を指示する実行停止指示を前記基地局装置へ送信する実行停止指示送信手段を備え、
前記基地局装置は、
前記実行停止指示を受信し、当該受信した実行停止指示を前記認証対象装置へ送信する実行停止指示転送手段を備え、
前記動作実行手段は、前記実行停止指示を受信した場合、前記認証成功時動作の実行を停止するように構成された無線通信システム。
【請求項６】
請求項１乃至請求項５のいずれか一項に記載の無線通信システムであって、
前記認証対象装置は、
前記認証成功情報を受信することなく前記認証成功時動作を実行することが指示された場合、当該認証対象装置が不正に利用されている旨を表す不正利用通知を前記基地局装置へ送信する不正利用通知送信手段を備え、
前記基地局装置は、
前記認証対象装置から前記不正利用通知を受信した場合、当該認証対象装置を識別するための認証対象装置識別子と対応付けられた移動局装置識別子により識別される移動局装置へ、当該不正利用通知を送信する不正利用通知転送手段を備え、
前記移動局装置は、
前記不正利用通知を受信し、当該受信した不正利用通知を出力する不正利用通知出力手段を備える無線通信システム。
【請求項７】
請求項６に記載の無線通信システムであって、
前記不正利用通知出力手段は、
前記不正利用通知を受信した場合、前記認証成功時動作の実行を許可する旨を指示する許可指示情報の入力を促す情報を出力するように構成され、
前記移動局装置は、更に、
前記許可指示情報が入力された場合、前記認証成功時動作の実行を許可する旨を指示する実行許可指示を前記基地局装置へ送信する実行許可指示送信手段を備え、
前記基地局装置は、
前記実行許可指示を受信し、当該受信した実行許可指示を前記認証対象装置へ送信する実行許可指示転送手段を備え、
前記動作実行手段は、前記実行許可指示を受信した場合、前記認証成功時動作を実行するように構成された無線通信システム。
【請求項８】
請求項１乃至請求項７のいずれか一項に記載の無線通信システムであって、
前記基地局装置と通信可能に構成された管理装置を含み、
前記移動局装置は、
前記基地局装置と無線通信可能な状態にある場合に、当該基地局装置へ当該移動局装置を識別するための移動局装置識別子を送信する識別子送信手段を備え、
前記認証対象装置は、
当該認証対象装置を識別するための認証対象装置識別子を前記基地局装置へ送信する識別子送信手段を備え、
前記基地局装置は、
前記移動局装置識別子及び前記認証対象装置識別子を受信し、当該受信した移動局装置識別子及び認証対象装置識別子を前記管理装置へ送信する識別子転送手段を備え、
前記管理装置は、
前記移動局装置識別子及び前記認証対象装置識別子を受信し、当該受信した移動局装置識別子及び認証対象装置識別子を対応付ける対応情報の入力を促す情報を出力する情報出力手段と、
前記対応情報が入力された場合、当該対応情報を前記基地局装置へ送信する対応情報送信手段と、
を備え、
前記基地局装置は、更に、
前記対応情報を受信し、当該受信した対応情報に基づいて、前記移動局装置識別子と前記認証対象装置識別子とを対応付けて前記識別子記憶手段に記憶させる識別子記憶処理手段を備える無線通信システム。
【請求項９】
請求項１乃至請求項８のいずれか一項に記載の無線通信システムであって、
前記移動局装置は、携帯電話機である無線通信システム。
【請求項１０】
複数の移動局装置と、当該移動局装置と無線通信することにより当該移動局装置と他の移動局装置との間の通信を中継する基地局装置と、当該基地局装置と通信可能に構成された認証対象装置と、を含む無線通信システムに適用され、
前記基地局装置が、当該基地局装置と無線通信可能な状態にある前記移動局装置を検出する移動局装置検出工程と、
前記認証対象装置を識別するための認証対象装置識別子のうちの、前記検出された移動局装置を識別するための移動局装置識別子と対応付けて記憶装置に記憶されている認証対象装置識別子により識別される認証対象装置へ、認証が成功した旨を表す認証成功情報を前記基地局装置が送信する認証成功情報送信工程と、
前記認証対象装置が、前記基地局装置から前記認証成功情報を受信した場合、所定の認証成功時動作を実行する動作実行工程と、
を含む無線通信方法。
【請求項１１】
請求項１０に記載の無線通信方法であって、
前記基地局装置が、前記認証成功情報を前記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信工程と、
前記移動局装置が、前記認証成功通知を受信し、当該受信した認証成功通知を出力する認証成功通知出力工程と、
を含む無線通信方法。
【請求項１２】
請求項１１に記載の無線通信方法であって、
前記認証成功通知出力工程は、
前記認証成功通知を受信した場合、前記認証成功時動作の実行を停止する旨を指示する停止指示情報の入力を促す情報を出力するように構成され、
前記無線通信方法は、更に、
前記停止指示情報が入力された場合、前記認証成功時動作の実行を停止する旨を指示する実行停止指示を前記移動局装置が前記基地局装置へ送信する実行停止指示送信工程と、
前記基地局装置が、前記実行停止指示を受信し、当該受信した実行停止指示を前記認証対象装置へ送信する実行停止指示転送工程と、
を含み、
前記動作実行工程は、前記実行停止指示を受信した場合、前記認証成功時動作の実行を停止するように構成された無線通信方法。
【請求項１３】
請求項１０乃至請求項１２のいずれか一項に記載の無線通信方法であって、
前記認証対象装置が前記認証成功情報を受信することなく前記認証成功時動作を実行することが指示された場合、当該認証対象装置が不正に利用されている旨を表す不正利用通知を当該認証対象装置が前記基地局装置へ送信する不正利用通知送信工程と、
前記基地局装置が前記認証対象装置から前記不正利用通知を受信した場合、当該認証対象装置を識別するための認証対象装置識別子と対応付けられた移動局装置識別子により識別される移動局装置へ、当該基地局装置が当該不正利用通知を送信する不正利用通知転送工程と、
前記移動局装置が、前記不正利用通知を受信し、当該受信した不正利用通知を出力する不正利用通知出力工程と、
を含む無線通信方法。
【請求項１４】
請求項１３に記載の無線通信方法であって、
前記不正利用通知出力工程は、
前記不正利用通知を受信した場合、前記認証成功時動作の実行を許可する旨を指示する許可指示情報の入力を促す情報を出力するように構成され、
前記無線通信方法は、更に、
前記許可指示情報が入力された場合、前記認証成功時動作の実行を許可する旨を指示する実行許可指示を前記移動局装置が前記基地局装置へ送信する実行許可指示送信工程と、
前記基地局装置が、前記実行許可指示を受信し、当該受信した実行許可指示を前記認証対象装置へ送信する実行許可指示転送工程と、
を含み、
前記動作実行工程は、前記実行許可指示を受信した場合、前記認証成功時動作を実行するように構成された無線通信方法。
【請求項１５】
移動局装置と無線通信することにより当該移動局装置と他の移動局装置との間の通信を中継する基地局装置であって、
認証対象装置と通信可能に構成され、更に、
前記移動局装置を識別するための移動局装置識別子と、前記認証対象装置を識別するための認証対象装置識別子と、を対応付けて記憶する識別子記憶手段と、
当該基地局装置と無線通信可能な状態にある移動局装置を検出する移動局装置検出手段と、
前記検出された移動局装置を識別するための移動局装置識別子と対応付けられた認証対象装置識別子により識別される認証対象装置へ、認証が成功した旨を表す認証成功情報を送信する認証成功情報送信手段と、
を備える基地局装置。
【請求項１６】
請求項１５に記載の基地局装置であって、
前記認証成功情報を前記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を備える基地局装置。
【請求項１７】
請求項１５又は請求項１６に記載の基地局装置であって、
前記認証対象装置が不正に利用されている旨を表す不正利用通知を当該認証対象装置から受信した場合、当該認証対象装置を識別するための認証対象装置識別子と対応付けられた移動局装置識別子により識別される移動局装置へ、当該不正利用通知を送信する不正利用通知転送手段を備える基地局装置。
【請求項１８】
移動局装置と無線通信することにより当該移動局装置と他の移動局装置との間の通信を中継し、且つ、認証対象装置と通信可能に構成された基地局装置に、
当該基地局装置と無線通信可能な状態にある移動局装置を検出する移動局装置検出手段と、
前記認証対象装置を識別するための認証対象装置識別子のうちの、前記検出された移動局装置を識別するための移動局装置識別子と対応付けて記憶装置に記憶されている認証対象装置識別子により識別される認証対象装置へ、認証が成功した旨を表す認証成功情報を送信する認証成功情報送信手段と、
を実現させるためのプログラム。
【請求項１９】
請求項１８に記載のプログラムであって、
前記基地局装置に、更に、
前記認証成功情報を前記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を実現させるためのプログラム。
【請求項２０】
請求項１８又は請求項１９に記載のプログラムであって、
前記基地局装置に、更に、
前記認証対象装置が不正に利用されている旨を表す不正利用通知を当該認証対象装置から受信した場合、当該認証対象装置を識別するための認証対象装置識別子と対応付けられた移動局装置識別子により識別される移動局装置へ、当該不正利用通知を送信する不正利用通知転送手段を実現させるためのプログラム。
【発明の詳細な説明】
【技術分野】
【０００１】
本発明は、互いに無線通信可能に構成された基地局装置及び移動局装置を含む無線通信システムに関する。
【背景技術】
【０００２】
フェムトセルを構成する無線通信システムが知られている。この種の無線通信システムの一つとして、特許文献１に記載の無線通信システムは、基地局装置と移動局装置（例えば、携帯電話機）とを含む。この無線通信システムは、比較的狭い領域にて、基地局装置と移動局装置とが無線通信可能となるように構成されている。
【０００３】
この基地局装置は、住居又はオフィス等に設置されることが多い。また、住居又はオフィス等には、セキュリティを向上させるために、所定の動作（認証成功時動作）を実行する際、ユーザに認証情報の入力を要求するように構成された認証対象装置が設置されることが多い。認証対象装置は、例えば、パーソナルコンピュータ、オーディオ機器、及び、テレビ受信機等の電気製品である。ここで、認証情報は、例えば、ユーザを識別するためのユーザ識別子及びパスワードからなる。
【先行技術文献】
【特許文献】
【０００４】
【特許文献１】特開２００９−０９４６５２号公報
【発明の概要】
【発明が解決しようとする課題】
【０００５】
しかしながら、上記認証対象装置においては、真のユーザが、認証対象装置の近傍に存在していない場合であっても、不正なユーザが認証情報を取得することにより、不正なユーザが認証対象装置に認証成功時動作を実行させることが可能である。
【０００６】
また、上記認証対象装置は、ユーザに認証情報の入力を要求する際、認証情報の入力を促す画像を表示する。このため、不正なユーザは、認証成功時動作が実行されない場合に、その原因（例えば、入力した認証情報が間違っていたこと）を認識することができる。従って、不正なユーザが認証対象装置に認証成功時動作を実行させる可能性が比較的高い。
【０００７】
このように、上記認証対象装置においては、認証成功時動作が不正に実行される可能性が比較的高いという問題があった。
【０００８】
このため、本発明の目的は、上述した課題である「認証成功時動作が不正に実行される可能性が比較的高いこと」を解決することが可能な無線通信システムを提供することにある。
【課題を解決するための手段】
【０００９】
かかる目的を達成するため本発明の一形態である無線通信システムは、複数の移動局装置と、当該移動局装置と無線通信することにより当該移動局装置と他の移動局装置との間の通信を中継する基地局装置と、認証対象装置と、を含むシステムである。
【００１０】
更に、上記基地局装置及び上記認証対象装置は、互いに通信可能に構成される。
加えて、上記基地局装置は、
上記移動局装置を識別するための移動局装置識別子と、上記認証対象装置を識別するための認証対象装置識別子と、を対応付けて記憶する識別子記憶手段と、
当該基地局装置と無線通信可能な状態にある移動局装置を検出する移動局装置検出手段と、
上記検出された移動局装置を識別するための移動局装置識別子と対応付けられた認証対象装置識別子により識別される認証対象装置へ、認証が成功した旨を表す認証成功情報を送信する認証成功情報送信手段と、
を備える。
【００１１】
更に、上記認証対象装置は、
上記基地局装置から上記認証成功情報を受信した場合、所定の認証成功時動作を実行する動作実行手段を備える。
【００１２】
また、本発明の他の形態である無線通信方法は、複数の移動局装置と、当該移動局装置と無線通信することにより当該移動局装置と他の移動局装置との間の通信を中継する基地局装置と、当該基地局装置と通信可能に構成された認証対象装置と、を含む無線通信システムに適用される方法である。
【００１３】
更に、上記無線通信方法は、
上記基地局装置が、当該基地局装置と無線通信可能な状態にある上記移動局装置を検出する移動局装置検出工程と、
上記認証対象装置を識別するための認証対象装置識別子のうちの、上記検出された移動局装置を識別するための移動局装置識別子と対応付けて記憶装置に記憶されている認証対象装置識別子により識別される認証対象装置へ、認証が成功した旨を表す認証成功情報を上記基地局装置が送信する認証成功情報送信工程と、
上記認証対象装置が、上記基地局装置から上記認証成功情報を受信した場合、所定の認証成功時動作を実行する動作実行工程と、
を含む。
【００１４】
また、本発明の他の形態である基地局装置は、移動局装置と無線通信することにより当該移動局装置と他の移動局装置との間の通信を中継する装置である。
【００１５】
更に、この基地局装置は、認証対象装置と通信可能に構成される。
加えて、この基地局装置は、
上記移動局装置を識別するための移動局装置識別子と、上記認証対象装置を識別するための認証対象装置識別子と、を対応付けて記憶する識別子記憶手段と、
当該基地局装置と無線通信可能な状態にある移動局装置を検出する移動局装置検出手段と、
上記検出された移動局装置を識別するための移動局装置識別子と対応付けられた認証対象装置識別子により識別される認証対象装置へ、認証が成功した旨を表す認証成功情報を送信する認証成功情報送信手段と、
を備える。
【００１６】
また、本発明の他の形態であるプログラムは、
移動局装置と無線通信することにより当該移動局装置と他の移動局装置との間の通信を中継し、且つ、認証対象装置と通信可能に構成された基地局装置に、
当該基地局装置と無線通信可能な状態にある移動局装置を検出する移動局装置検出手段と、
上記認証対象装置を識別するための認証対象装置識別子のうちの、上記検出された移動局装置を識別するための移動局装置識別子と対応付けて記憶装置に記憶されている認証対象装置識別子により識別される認証対象装置へ、認証が成功した旨を表す認証成功情報を送信する認証成功情報送信手段と、
を実現させるためのプログラムである。
【発明の効果】
【００１７】
本発明は、以上のように構成されることにより、認証成功時動作が不正に実行される可能性を低減することができる。
【図面の簡単な説明】
【００１８】
【図１】本発明の実施形態に係る無線通信システムの概略構成を表す図である。
【図２】本発明の実施形態に係る無線通信システムの機能の概略を表すブロック図である。
【図３】本発明の実施形態に係る基地局装置が記憶するテーブルであって、移動局装置識別子と認証対象装置識別子と動作特定情報とが対応付けられたテーブルである。
【図４】本発明の実施形態に係る基地局装置のＣＰＵが実行する移動局装置検出処理プログラムを示したフローチャートである。
【図５】本発明の実施形態に係る認証対象装置のＣＰＵが実行する起動時認証処理プログラムを示したフローチャートである。
【図６】本発明の実施形態に係る移動局装置のＣＰＵが実行する認証成功通知受信処理プログラムを示したフローチャートである。
【図７】本発明の実施形態に係る認証対象装置のＣＰＵが実行する実行停止指示受信処理プログラムを示したフローチャートである。
【図８】本発明の実施形態に係る移動局装置のＣＰＵが実行する不正利用通知受信処理プログラムを示したフローチャートである。
【図９】本発明の実施形態に係る認証対象装置のＣＰＵが実行する実行許可指示受信処理プログラムを示したフローチャートである。
【図１０】本発明の実施形態の変形例に係る無線通信システムの機能の概略を表すブロック図である。
【発明を実施するための形態】
【００１９】
本発明の一形態である無線通信システムは、複数の移動局装置と、当該移動局装置と無線通信することにより当該移動局装置と他の移動局装置との間の通信を中継する基地局装置と、認証対象装置と、を含むシステムである。
【００２０】
更に、上記基地局装置及び上記認証対象装置は、互いに通信可能に構成される。
加えて、上記基地局装置は、
上記移動局装置を識別するための移動局装置識別子と、上記認証対象装置を識別するための認証対象装置識別子と、を対応付けて記憶する識別子記憶手段と、
当該基地局装置と無線通信可能な状態にある移動局装置を検出する移動局装置検出手段と、
上記検出された移動局装置を識別するための移動局装置識別子と対応付けられた認証対象装置識別子により識別される認証対象装置へ、認証が成功した旨を表す認証成功情報を送信する認証成功情報送信手段と、
を備える。
【００２１】
更に、上記認証対象装置は、
上記基地局装置から上記認証成功情報を受信した場合、所定の認証成功時動作を実行する動作実行手段を備える。
【００２２】
これによれば、移動局装置が基地局装置と通信可能な領域内に存在している場合、認証対象装置は、認証成功時動作を実行する。認証成功時動作は、例えば、ユーザが認証対象装置に任意の処理を実行させることが可能な状態に認証対象装置の状態を設定する動作、又は、特定の情報処理システムと通信可能な状態（ログイン状態）に認証対象装置の状態を設定する動作等である。これにより、移動局装置を保持する真のユーザが、認証対象装置の近傍に存在していない状態において、認証成功時動作が不正に実行されることを防止することができる。
【００２３】
更に、上記無線通信システムによれば、ユーザに認証情報（例えば、ユーザＩＤ及びパスワード）の入力を要求する画像を表示する必要がない。従って、認証成功時動作が実行されない原因がユーザに認識される可能性を低減することができる。この結果、ユーザが不正に認証対象装置に認証成功時動作を実行させる可能性を低減する（即ち、認証対象装置のセキュリティを高める）ことができる。
このように、上記無線通信システムによれば、認証成功時動作が不正に実行される可能性を低減することができる。
【００２４】
加えて、上記無線通信システムによれば、ユーザが認証情報を入力する必要がないので、認証対象装置に認証成功時動作を実行させる際のユーザの手間を軽減することができる。
【００２５】
この場合、上記基地局装置は、フェムトセルを構成する基地局装置であることが好適である。
【００２６】
ところで、フェムトセルを構成する無線通信システムにおいて、基地局装置及び移動局装置は、比較的狭い領域にて無線通信可能となる。従って、移動局装置を保持するユーザが認証対象装置の近傍に存在している場合にのみ、認証対象装置に認証成功時動作を実行させることができる。この結果、認証成功時動作が不正に実行される可能性をより一層確実に低減することができる。
【００２７】
この場合、上記識別子記憶手段は、上記移動局装置識別子と、上記認証対象装置識別子と、上記認証成功時動作を特定するための動作特定情報と、を対応付けて記憶するように構成され、
上記認証成功情報送信手段は、上記検出された移動局装置を識別するための移動局装置識別子と対応付けられた認証対象装置識別子により識別される認証対象装置へ、当該移動局装置識別子と対応付けられた動作特定情報を含む上記認証成功情報を送信するように構成され、
上記動作実行手段は、上記基地局装置から上記認証成功情報を受信した場合、当該認証成功情報に含まれる動作特定情報により特定される認証成功時動作を実行するように構成されることが好適である。
【００２８】
これによれば、認証対象装置及び認証成功時動作の組み合わせ毎に、認証処理に用いられる移動局装置を設定することができる。この結果、ユーザの利便性を向上させることができる。
【００２９】
この場合、上記基地局装置は、
上記認証成功情報を上記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を備え、
上記移動局装置は、
上記認証成功通知を受信し、当該受信した認証成功通知を出力する認証成功通知出力手段を備えることが好適である。
【００３０】
これによれば、移動局装置のユーザに、認証対象装置の認証が成功した旨を認識させることができる。
【００３１】
この場合、上記認証成功通知出力手段は、
上記認証成功通知を受信した場合、上記認証成功時動作の実行を停止する旨を指示する停止指示情報の入力を促す情報を出力するように構成され、
上記移動局装置は、更に、
上記停止指示情報が入力された場合、上記認証成功時動作の実行を停止する旨を指示する実行停止指示を上記基地局装置へ送信する実行停止指示送信手段を備え、
上記基地局装置は、
上記実行停止指示を受信し、当該受信した実行停止指示を上記認証対象装置へ送信する実行停止指示転送手段を備え、
上記動作実行手段は、上記実行停止指示を受信した場合、上記認証成功時動作の実行を停止するように構成されることが好適である。
【００３２】
これによれば、移動局装置のユーザは、認証対象装置の認証が成功した旨が通知された場合において、その認証対象装置による認証成功時動作の実行を希望しないとき、その認証成功時動作の実行を停止させることができる。この結果、移動局装置のユーザの利便性を向上させることができる。
【００３３】
この場合、上記認証対象装置は、
上記認証成功情報を受信することなく上記認証成功時動作を実行することが指示された場合、当該認証対象装置が不正に利用されている旨を表す不正利用通知を上記基地局装置へ送信する不正利用通知送信手段を備え、
上記基地局装置は、
上記認証対象装置から上記不正利用通知を受信した場合、当該認証対象装置を識別するための認証対象装置識別子と対応付けられた移動局装置識別子により識別される移動局装置へ、当該不正利用通知を送信する不正利用通知転送手段を備え、
上記移動局装置は、
上記不正利用通知を受信し、当該受信した不正利用通知を出力する不正利用通知出力手段を備えることが好適である。
【００３４】
これによれば、移動局装置のユーザに、認証対象装置が不正に利用されている旨を認識させることができる。
【００３５】
この場合、上記不正利用通知出力手段は、
上記不正利用通知を受信した場合、上記認証成功時動作の実行を許可する旨を指示する許可指示情報の入力を促す情報を出力するように構成され、
上記移動局装置は、更に、
上記許可指示情報が入力された場合、上記認証成功時動作の実行を許可する旨を指示する実行許可指示を上記基地局装置へ送信する実行許可指示送信手段を備え、
上記基地局装置は、
上記実行許可指示を受信し、当該受信した実行許可指示を上記認証対象装置へ送信する実行許可指示転送手段を備え、
上記動作実行手段は、上記実行許可指示を受信した場合、上記認証成功時動作を実行するように構成されることが好適である。
【００３６】
これによれば、移動局装置のユーザは、認証対象装置が不正に利用されている旨が通知された場合において、その認証対象装置による認証成功時動作の実行を希望するとき、その認証成功時動作を実行させることができる。この結果、移動局装置のユーザ及び認証対象装置のユーザの利便性を向上させることができる。
【００３７】
この場合、上記無線通信システムは、
上記基地局装置と通信可能に構成された管理装置を含み、
上記移動局装置は、
上記基地局装置と無線通信可能な状態にある場合に、当該基地局装置へ当該移動局装置を識別するための移動局装置識別子を送信する識別子送信手段を備え、
上記認証対象装置は、
当該認証対象装置を識別するための認証対象装置識別子を上記基地局装置へ送信する識別子送信手段を備え、
上記基地局装置は、
上記移動局装置識別子及び上記認証対象装置識別子を受信し、当該受信した移動局装置識別子及び認証対象装置識別子を上記管理装置へ送信する識別子転送手段を備え、
上記管理装置は、
上記移動局装置識別子及び上記認証対象装置識別子を受信し、当該受信した移動局装置識別子及び認証対象装置識別子を対応付ける対応情報の入力を促す情報を出力する情報出力手段と、
上記対応情報が入力された場合、当該対応情報を上記基地局装置へ送信する対応情報送信手段と、
を備え、
上記基地局装置は、更に、
上記対応情報を受信し、当該受信した対応情報に基づいて、上記移動局装置識別子と上記認証対象装置識別子とを対応付けて上記識別子記憶手段に記憶させる識別子記憶処理手段を備えることが好適である。
【００３８】
この場合、上記移動局装置は、携帯電話機であることが好適である。
【００３９】
また、本発明の他の形態である無線通信方法は、複数の移動局装置と、当該移動局装置と無線通信することにより当該移動局装置と他の移動局装置との間の通信を中継する基地局装置と、当該基地局装置と通信可能に構成された認証対象装置と、を含む無線通信システムに適用される方法である。
【００４０】
更に、上記無線通信方法は、
上記基地局装置が、当該基地局装置と無線通信可能な状態にある上記移動局装置を検出する移動局装置検出工程と、
上記認証対象装置を識別するための認証対象装置識別子のうちの、上記検出された移動局装置を識別するための移動局装置識別子と対応付けて記憶装置に記憶されている認証対象装置識別子により識別される認証対象装置へ、認証が成功した旨を表す認証成功情報を上記基地局装置が送信する認証成功情報送信工程と、
上記認証対象装置が、上記基地局装置から上記認証成功情報を受信した場合、所定の認証成功時動作を実行する動作実行工程と、
を含む。
【００４１】
この場合、上記無線通信方法は、
上記基地局装置が、上記認証成功情報を上記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信工程と、
上記移動局装置が、上記認証成功通知を受信し、当該受信した認証成功通知を出力する認証成功通知出力工程と、
を含むことが好適である。
【００４２】
この場合、上記認証成功通知出力工程は、
上記認証成功通知を受信した場合、上記認証成功時動作の実行を停止する旨を指示する停止指示情報の入力を促す情報を出力するように構成され、
上記無線通信方法は、更に、
上記停止指示情報が入力された場合、上記認証成功時動作の実行を停止する旨を指示する実行停止指示を上記移動局装置が上記基地局装置へ送信する実行停止指示送信工程と、
上記基地局装置が、上記実行停止指示を受信し、当該受信した実行停止指示を上記認証対象装置へ送信する実行停止指示転送工程と、
を含み、
上記動作実行工程は、上記実行停止指示を受信した場合、上記認証成功時動作の実行を停止するように構成されることが好適である。
【００４３】
この場合、上記無線通信方法は、
上記認証対象装置が上記認証成功情報を受信することなく上記認証成功時動作を実行することが指示された場合、当該認証対象装置が不正に利用されている旨を表す不正利用通知を当該認証対象装置が上記基地局装置へ送信する不正利用通知送信工程と、
上記基地局装置が上記認証対象装置から上記不正利用通知を受信した場合、当該認証対象装置を識別するための認証対象装置識別子と対応付けられた移動局装置識別子により識別される移動局装置へ、当該基地局装置が当該不正利用通知を送信する不正利用通知転送工程と、
上記移動局装置が、上記不正利用通知を受信し、当該受信した不正利用通知を出力する不正利用通知出力工程と、
を含むことが好適である。
【００４４】
この場合、上記不正利用通知出力工程は、
上記不正利用通知を受信した場合、上記認証成功時動作の実行を許可する旨を指示する許可指示情報の入力を促す情報を出力するように構成され、
上記無線通信方法は、更に、
上記許可指示情報が入力された場合、上記認証成功時動作の実行を許可する旨を指示する実行許可指示を上記移動局装置が上記基地局装置へ送信する実行許可指示送信工程と、
上記基地局装置が、上記実行許可指示を受信し、当該受信した実行許可指示を上記認証対象装置へ送信する実行許可指示転送工程と、
を含み、
上記動作実行工程は、上記実行許可指示を受信した場合、上記認証成功時動作を実行するように構成されることが好適である。
【００４５】
また、本発明の他の形態である基地局装置は、移動局装置と無線通信することにより当該移動局装置と他の移動局装置との間の通信を中継する装置である。
【００４６】
更に、この基地局装置は、認証対象装置と通信可能に構成される。
加えて、この基地局装置は、
上記移動局装置を識別するための移動局装置識別子と、上記認証対象装置を識別するための認証対象装置識別子と、を対応付けて記憶する識別子記憶手段と、
当該基地局装置と無線通信可能な状態にある移動局装置を検出する移動局装置検出手段と、
上記検出された移動局装置を識別するための移動局装置識別子と対応付けられた認証対象装置識別子により識別される認証対象装置へ、認証が成功した旨を表す認証成功情報を送信する認証成功情報送信手段と、
を備える。
【００４７】
この場合、上記基地局装置は、
上記認証成功情報を上記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を備えることが好適である。
【００４８】
この場合、上記基地局装置は、
上記認証対象装置が不正に利用されている旨を表す不正利用通知を当該認証対象装置から受信した場合、当該認証対象装置を識別するための認証対象装置識別子と対応付けられた移動局装置識別子により識別される移動局装置へ、当該不正利用通知を送信する不正利用通知転送手段を備えることが好適である。
【００４９】
また、本発明の他の形態であるプログラムは、
移動局装置と無線通信することにより当該移動局装置と他の移動局装置との間の通信を中継し、且つ、認証対象装置と通信可能に構成された基地局装置に、
当該基地局装置と無線通信可能な状態にある移動局装置を検出する移動局装置検出手段と、
上記認証対象装置を識別するための認証対象装置識別子のうちの、上記検出された移動局装置を識別するための移動局装置識別子と対応付けて記憶装置に記憶されている認証対象装置識別子により識別される認証対象装置へ、認証が成功した旨を表す認証成功情報を送信する認証成功情報送信手段と、
を実現させるためのプログラムである。
【００５０】
この場合、上記プログラムは、
上記基地局装置に、更に、
上記認証成功情報を上記認証対象装置へ送信した場合、当該認証対象装置を識別するための認証対象装置識別子と対応付けられた移動局装置識別子により識別される移動局装置へ、当該認証対象装置の認証が成功した旨を表す認証成功通知を送信する認証成功通知送信手段を実現させるためのプログラムであることが好適である。
【００５１】
この場合、上記プログラムは、
上記基地局装置に、更に、
上記認証対象装置が不正に利用されている旨を表す不正利用通知を当該認証対象装置から受信した場合、当該認証対象装置を識別するための認証対象装置識別子と対応付けられた移動局装置識別子により識別される移動局装置へ、当該不正利用通知を送信する不正利用通知転送手段を実現させるためのプログラムであることが好適である。
【００５２】
上述した構成を有する、無線通信方法、基地局装置、又は、プログラム、の発明であっても、上記無線通信システムと同様の作用を有するために、上述した本発明の目的を達成することができる。
【００５３】
以下、本発明に係る、無線通信システム、無線通信方法、基地局装置、及び、プログラム、の実施形態について図１〜図１０を参照しながら説明する。
【００５４】
＜実施形態＞
（構成）
図１に示したように、実施形態に係る無線通信システム１は、基地局装置１１と、移動局装置としての携帯電話機１２ａ，１２ｂと、管理装置としての携帯電話機１２ｃと、認証対象装置としての情報処理装置１３ａ，１３ｂと、を含む。
【００５５】
基地局装置１１は、図示しない携帯電話網に接続されている。本例では、基地局装置１１は、フェムトセルを構成する基地局装置である。基地局装置１１は、Ｈｏｍｅ  Ｎｏｄｅ  Ｂ（ＨＮＢ）とも呼ばれる装置である。
【００５６】
基地局装置１１は、各携帯電話機１２ａ，１２ｂ，１２ｃが第１の在圏領域（例えば、基地局装置１１を中心とし且つ所定の半径（例えば、１ｍ〜１００ｍ）を有する円内の領域）内に位置している場合に、その携帯電話機１２ａ，１２ｂ，１２ｃと、第１の無線通信方式に従って無線通信可能に構成されている。
【００５７】
ここで、第１の無線通信方式は、例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）又は３ＧＰＰ２（Ｔｈｉｒｄ  Ｇｅｎｅｒａｔｉｏｎ  Ｐａｒｔｎｅｒｓｈｉｐ  Ｐｒｏｊｅｃｔ  ２）等により定められた携帯電話網における通信規格（例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」は登録商標）、ＣＤＭＡ２０００（Ｃｏｄｅ  Ｄｉｖｉｓｉｏｎ  Ｍｕｌｔｉｐｌｅ  Ａｃｃｅｓｓ  ２０００）、又は、ＬＴＥ（Ｌｏｎｇ  Ｔｅｒｍ  Ｅｖｏｌｕｔｉｏｎ）等）に従った通信方式である。
【００５８】
このような構成により、基地局装置１１は、携帯電話機１２ａ，１２ｂ，１２ｃと無線通信することにより、当該携帯電話機１２ａ，１２ｂ，１２ｃと、携帯電話網を介して接続された他の携帯電話機と、の間の通信を中継する。
【００５９】
また、基地局装置１１は、各情報処理装置１３ａ，１３ｂが第２の在圏領域（例えば、基地局装置１１を中心とし且つ所定の半径（例えば、１ｍ〜１００ｍ）を有する円内の領域）内に位置している場合に、その情報処理装置１３ａ，１３ｂと、第２の無線通信方式に従って無線通信可能に構成されている。
【００６０】
ここで、第２の無線通信方式は、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）等により定められた通信規格（例えば、ＩＥＥＥ  ８０２．１１（ＷｉＦｉ（Ｗｉｒｅｌｅｓｓ  Ｆｉｄｅｌｉｔｙ）等）、ＩＥＥＥ  ８０２．１５（Ｂｌｕｅｔｏｏｔｈ等）、又は、ＩＥＥＥ  ８０２．１６（ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等）等）に従った通信方式である。
なお、基地局装置１１は、各情報処理装置１３ａ，１３ｂとケーブルを介して通信可能に接続されていてもよい。
【００６１】
基地局装置１１は、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。基地局装置１１は、記憶装置に記憶されているプログラムをＣＰＵが実行することにより、後述する機能を実現するように構成されている。
【００６２】
各携帯電話機１２ａ，１２ｂ，１２ｃは、ＣＰＵ、記憶装置（メモリ）、入力装置（本例では、マイク及び複数のキーボタン）、及び、出力装置（本例では、スピーカ及びディスプレイ）を備える。更に、各携帯電話機１２ａ，１２ｂ，１２ｃは、第１の無線通信方式に従って無線通信を行う通信装置（通信用アンテナを含む）を備える。
【００６３】
各携帯電話機１２ａ，１２ｂ，１２ｃは、記憶装置に記憶されているプログラムをＣＰＵが実行することにより、後述する機能を実現するように構成されている。
【００６４】
本例では、各情報処理装置１３ａ，１３ｂは、パーソナル・コンピュータである。各情報処理装置１３ａ，１３ｂは、ＣＰＵ、記憶装置（メモリ）、入力装置（本例では、マウス及びキーボード）、及び、出力装置（本例では、ディスプレイ）を備える。更に、各情報処理装置１３ａ，１３ｂは、第２の無線通信方式に従って無線通信を行う通信装置（通信用アンテナを含む）を備える。
【００６５】
各情報処理装置１３ａ，１３ｂは、記憶装置に記憶されているプログラムをＣＰＵが実行することにより、後述する機能を実現するように構成されている。
【００６６】
図２は、上記のように構成された無線通信システム１の機能を表すブロック図である。この機能は、基地局装置１１のＣＰＵが後述する図４に示したフローチャートにより表されるプログラム等を実行するとともに、認証対象装置１３ａ，１３ｂのＣＰＵが後述する図５、図７及び図９に示したフローチャートにより表されるプログラム等を実行し、且つ、移動局装置１２ａ，１２ｂのＣＰＵが後述する図６及び図８に示したフローチャートにより表されるプログラム等を実行することにより、実現される。
【００６７】
この基地局装置１１の機能は、識別子転送部（識別子転送手段）２１と、識別子記憶処理部（識別子記憶処理手段）２２と、識別子記憶部（識別子記憶手段）２３と、移動局装置検出部（移動局装置検出手段）２４と、認証成功情報送信部（認証成功情報送信手段）２５と、認証成功通知送信部（認証成功通知送信手段）２６と、不正利用通知転送部（不正利用通知転送手段）２７と、指示転送部（実行停止指示転送手段、実行許可指示転送手段）２８と、を含む。
【００６８】
また、移動局装置１２ａの機能は、識別子送信部（識別子送信手段）３１と、通知出力部（認証成功通知出力手段、不正利用通知出力手段）３２と、指示送信部（実行停止指示送信手段、実行許可指示送信手段）３３と、を含む。なお、移動局装置１２ｂの機能は、移動局装置１２ａと同様の機能である。
【００６９】
認証対象装置１３ａの機能は、識別子送信部（識別子送信手段）４１と、動作実行部（動作実行手段）４２と、不正利用通知送信部（不正利用通知送信手段）４３と、を含む。なお、認証対象装置１３ｂの機能は、認証対象装置１３ａと同様の機能である。
管理装置１２ｃの機能は、情報出力部（情報出力手段）５１と、対応情報送信部（対応情報送信手段）５２と、を含む。
【００７０】
移動局装置１２ａの識別子送信部３１は、移動局装置１２ａが基地局装置１１と無線通信可能な状態にある場合（即ち、移動局装置１２ａが上記第１の在圏領域内に位置している場合）に、移動局装置１２ａを識別するための移動局装置識別子を基地局装置１１へ送信する。本例では、移動局装置識別子は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である。なお、移動局装置識別子は、電話番号等の他の情報であってもよい。
【００７１】
認証対象装置１３ａの識別子送信部４１は、認証対象装置１３ａが基地局装置１１と無線通信可能な状態にある場合（即ち、認証対象装置１３ａが上記第２の在圏領域内に位置している場合）に、認証対象装置を識別するための認証対象装置識別子を基地局装置１１へ送信する。本例では、認証対象装置識別子は、ＩＰ（Ｉｎｔｅｒｎｅｔ  Ｐｒｏｔｏｃｏｌ）アドレスである。なお、認証対象装置識別子は、ＭＡＣ（Ｍｅｄｉａ  Ａｃｃｅｓｓ  Ｃｏｎｔｒｏｌ）アドレス等の他の情報であってもよい。
【００７２】
基地局装置１１の識別子転送部２１は、移動局装置１２ａから移動局装置識別子を受信する。更に、識別子転送部２１は、認証対象装置１３ａから認証対象装置識別子を受信する。そして、識別子転送部２１は、受信した移動局装置識別子及び認証対象装置識別子を管理装置１２ｃへ送信する。
【００７３】
管理装置１２ｃの情報出力部５１は、基地局装置１１から移動局装置識別子及び前記認証対象装置識別子を受信する。情報出力部５１は、受信した移動局装置識別子及び認証対象装置識別子を対応付ける対応情報の入力を促す情報を出力する。
【００７４】
本例では、情報出力部５１は、受信した移動局装置識別子及び認証対象装置識別子の一覧と、動作特定情報の一覧と、を表す画像をディスプレイに表示させる。ここで、動作特定情報は、認証が成功した場合に認証対象装置に実行させる認証成功時動作を特定するための情報である。そして、情報出力部５１は、管理装置１２ｃのユーザにより入力された対応情報を受け付ける。
【００７５】
本例では、対応情報は、対応付ける対象となる移動局装置識別子、認証対象装置識別子及び動作特定情報を１つずつ含む情報である。
管理装置１２ｃの対応情報送信部５２は、情報出力部５１により対応情報が受け付けられた場合、その対応情報を基地局装置１１へ送信する。
【００７６】
基地局装置１１の識別子記憶処理部２２は、管理装置１２ｃから対応情報を受信する。そして、識別子記憶処理部２２は、受信した対応情報に基づいて、移動局装置識別子と認証対象装置識別子と動作特定情報とを対応付けて識別子記憶部２３に記憶させる。具体的には、識別子記憶処理部２２は、受信した対応情報に含まれる、移動局装置識別子と認証対象装置識別子と動作特定情報とを対応付けて識別子記憶部２３に記憶させる。
【００７７】
基地局装置１１の識別子記憶部２３は、図３に示したように、移動局装置識別子と、認証対象装置識別子と、動作特定情報と、を対応付けて記憶する。
なお、移動局装置識別子「ＫＡ」は、移動局装置１２ａを識別するための識別子であり、移動局装置識別子「ＫＢ」は、移動局装置１２ｂを識別するための識別子である。また、認証対象装置識別子「ＰＣＡ」は、認証対象装置１３ａを識別するための識別子であり、認証対象装置識別子「ＰＣＢ」は、認証対象装置１３ｂを識別するための識別子である。
【００７８】
また、動作特定情報「ＡＡ」は、ユーザが認証対象装置に任意の処理を実行させることが可能な状態に認証対象装置の状態を設定する動作を特定するための情報である。動作特定情報「ＡＢ」は、特定の情報処理システムと通信可能な状態（ログイン状態）に認証対象装置の状態を設定する動作を特定するための情報である。
【００７９】
基地局装置１１の移動局装置検出部２４は、基地局装置１１と無線通信可能な状態にある移動局装置１２ａ，１２ｂを検出する。本例では、移動局装置検出部２４は、移動局装置１２ａ，１２ｂから所定の信号を受信した場合に、その信号を送信してきた移動局装置１２ａ，１２ｂを、無線通信可能な状態にある移動局装置として検出する。移動局装置検出部２４は、検出された移動局装置を識別するための移動局装置識別子を出力する。
【００８０】
基地局装置１１の認証成功情報送信部２５は、識別子記憶部２３に記憶されている認証対象装置識別子及び動作特定情報のうちの、移動局装置検出部２４により出力された移動局装置識別子と対応付けられた認証対象装置識別子及び動作特定情報を取得する。そして、認証成功情報送信部２５は、取得した認証対象装置識別子により識別される認証対象装置へ、認証が成功した旨を表す情報であって、上記取得した動作特定情報を含む情報である認証成功情報を送信する。
【００８１】
認証対象装置１３ａの動作実行部４２は、基地局装置１１から認証成功情報を受信する。動作実行部４２は、認証成功情報を受信した場合、受信した認証成功情報に含まれる動作特定情報により特定される認証成功時動作を実行する。
【００８２】
基地局装置１１の認証成功通知送信部２６は、認証成功情報送信部２５により認証成功情報が認証対象装置１３ａ，１３ｂへ送信された場合、識別子記憶部２３に記憶されている移動局装置識別子のうちの、当該認証対象装置（認証成功情報の送信先としての認証対象装置）を識別するための認証対象装置識別子と対応付けられた移動局装置識別子を取得する。そして、認証成功通知送信部２６は、取得した移動局装置識別子により識別される移動局装置１２ａ，１２ｂへ、認証成功情報の送信先としての認証対象装置の認証が成功した旨を表す認証成功通知を送信する。
【００８３】
移動局装置１２ａの通知出力部３２は、基地局装置１１から認証成功通知を受信する。そして、通知出力部３２は、認証成功通知を受信した場合、受信した認証成功通知を出力する。更に、通知出力部３２は、認証成功通知を受信した場合、認証成功時動作の実行を停止する旨を指示する停止指示情報の入力を促す情報を出力する。
【００８４】
具体的には、通知出力部３２は、認証成功通知、及び、停止指示情報の入力を促す情報を表す画像をディスプレイに表示させる。そして、通知出力部３２は、移動局装置１２ａのユーザにより入力された停止指示情報を受け付ける。
【００８５】
本例では、停止指示情報は、認証対象装置識別子及び動作特定情報を１つずつ含む情報である。
移動局装置１２ａの指示送信部３３は、通知出力部３２により停止指示情報が受け付けられた場合、認証成功時動作の実行を停止する旨を指示する実行停止指示を基地局装置１１へ送信する。実行停止指示は、停止指示情報に含まれる認証対象装置識別子及び動作特定情報を含む情報である。
【００８６】
基地局装置１１の指示転送部２８は、移動局装置１２ａ，１２ｂから実行停止指示を受信する。指示転送部２８は、受信した実行停止指示を、その実行停止指示に含まれる認証対象装置識別子により識別される認証対象装置１３ａ，１３ｂへ送信する。
【００８７】
認証対象装置１３ａの動作実行部４２は、基地局装置１１から実行停止指示を受信する。動作実行部４２は、実行停止指示を受信した場合、その実行停止指示に含まれる動作特定情報により特定される認証成功時動作の実行を停止する。
【００８８】
具体的には、実行停止指示に含まれる動作特定情報が「ＡＡ」である場合、動作実行部４２は、ユーザが認証対象装置１３ａに任意の処理を実行させることが不能な状態に認証対象装置１３ａの状態を設定する。例えば、動作実行部４２は、認証対象装置１３ａの動作を停止させる（認証対象装置１３ａをシャットダウンする）。
【００８９】
また、実行停止指示に含まれる動作特定情報が「ＡＢ」である場合、動作実行部４２は、特定の情報処理システムと通信不能な状態（ログアウト状態）に認証対象装置１３ａの状態を設定する。
【００９０】
一方、認証対象装置１３ａの不正利用通知送信部４３は、認証成功時動作を実行することが指示されたか否かを判定する。具体的には、不正利用通知送信部４３は、認証対象装置１３ａが起動された場合、動作特定情報「ＡＡ」により特定される認証成功時動作を実行することが指示されたと判定する。また、不正利用通知送信部４３は、特定の情報処理システムと通信を行う所定のプログラムの実行が指示された場合、動作特定情報「ＡＢ」により特定される認証成功時動作を実行することが指示されたと判定する。
【００９１】
そして、不正利用通知送信部４３は、認証成功情報を受信することなく認証成功時動作を実行することが指示されたと判定された場合、当該認証対象装置が不正に利用されている旨を表す不正利用通知を基地局装置１１へ送信する。本例では、不正利用通知は、認証対象装置識別子を含む情報である。
【００９２】
基地局装置１１の不正利用通知転送部２７は、認証対象装置１３ａから不正利用通知を受信する。不正利用通知転送部２７は、不正利用通知を受信した場合、識別子記憶部２３に記憶されている移動局装置識別子のうちの、当該不正利用通知に含まれる認証対象装置識別子と対応付けられた移動局装置識別子を取得する。不正利用通知転送部２７は、取得した移動局装置識別子により識別される移動局装置へ、上記不正利用通知を送信する。
【００９３】
移動局装置１２ａの通知出力部３２は、基地局装置１１から不正利用通知を受信する。そして、通知出力部３２は、不正利用通知を受信した場合、受信した不正利用通知を出力する。更に、通知出力部３２は、不正利用通知を受信した場合、認証成功時動作の実行を許可する旨を指示する許可指示情報の入力を促す情報を出力する。
【００９４】
具体的には、通知出力部３２は、不正利用通知、及び、許可指示情報の入力を促す情報を表す画像をディスプレイに表示させる。そして、通知出力部３２は、移動局装置１２ａのユーザにより入力された許可指示情報を受け付ける。
【００９５】
本例では、許可指示情報は、認証対象装置識別子及び動作特定情報を１つずつ含む情報である。
移動局装置１２ａの指示送信部３３は、通知出力部３２により許可指示情報が受け付けられた場合、認証成功時動作の実行を許可する旨を指示する実行許可指示を基地局装置１１へ送信する。実行許可指示は、許可指示情報に含まれる認証対象装置識別子及び動作特定情報を含む情報である。
【００９６】
基地局装置１１の指示転送部２８は、移動局装置１２ａ，１２ｂから実行許可指示を受信する。指示転送部２８は、受信した実行許可指示を、その実行許可指示に含まれる認証対象装置識別子により識別される認証対象装置１３ａ，１３ｂへ送信する。
【００９７】
認証対象装置１３ａの動作実行部４２は、基地局装置１１から実行許可指示を受信する。動作実行部４２は、実行許可指示を受信した場合、その実行許可指示に含まれる動作特定情報により特定される認証成功時動作を実行する。
【００９８】
（作動）
次に、上述した無線通信システム１の作動について具体的に述べる。
基地局装置１１のＣＰＵは、図４にフローチャートにより示した移動局装置検出処理プログラムを、基地局装置１１の起動時に実行するようになっている。
【００９９】
具体的に述べると、ＣＰＵは、移動局装置検出処理プログラムの処理を開始すると、ステップ４０５にて、移動局装置を検出するまで待機する。
【０１００】
いま、移動局装置１２ａが第１の在圏領域外から第１の在圏領域内へ移動してきた場合を想定して説明する。更に、管理装置１２ｃのユーザが対応情報を入力することにより、基地局装置１１の記憶装置に、図３に示したように、移動局装置識別子と認証対象装置識別子と動作特定情報とが対応付けて記憶されている場合を想定する。加えて、認証対象装置１３ａが起動していない場合を想定する。
【０１０１】
この場合、基地局装置１１は、移動局装置１２ａを無線通信可能な状態にある移動局装置として検出する（移動局装置検出工程）。これにより、基地局装置１１のＣＰＵは、ステップ４０５にて「Ｙｅｓ」と判定してステップ４１０へ進み、検出された移動局装置１２ａと対応付けられた認証対象装置１３ａ，１３ｂを特定する。具体的には、ＣＰＵは、記憶装置に記憶されている認証対象装置識別子及び動作特定情報のうちの、検出された移動局装置１２ａを識別するための移動局装置識別子「ＫＡ」と対応付けられた認証対象装置識別子「ＰＣＡ」及び動作特定情報「ＡＡ」を取得する。
【０１０２】
そして、ＣＰＵは、取得した認証対象装置識別子「ＰＣＡ」により識別される認証対象装置１３ａへ、上記取得した動作特定情報「ＡＡ」を含む情報である認証成功情報を送信する（ステップ４１５、認証成功情報送信工程の一部）。
【０１０３】
次いで、ＣＰＵは、認証成功情報の送信が失敗したか否かを判定する（ステップ４２０）。上記仮定に従えば、認証対象装置１３ａが起動していないので、基地局装置１１は認証成功情報の送信に失敗する。即ち、基地局装置１１は、認証成功情報を受信した旨を表す情報を認証対象装置１３ａから受信することができない。
【０１０４】
従って、ＣＰＵは、「Ｙｅｓ」と判定してステップ４２５へ進む。そして、ＣＰＵは、認証対象装置１３ａから認証結果要求を受信するまで待機する。ここで、認証結果要求は、認証が成功したか否かを表す認証結果情報の送信を要求する旨を表す情報である。
【０１０５】
次に、認証対象装置１３ａが起動された場合を想定して説明を続ける。
認証対象装置１３ａのＣＰＵは、図５にフローチャートにより示した起動時認証処理プログラムを、認証対象装置１３ａの起動時に実行するようになっている。
【０１０６】
具体的に述べると、ＣＰＵは、起動時認証処理プログラムの処理を開始すると、ステップ５０５にて、認証結果要求を基地局装置１１へ送信する。そして、ＣＰＵは、基地局装置１１から認証結果情報を受信するまで待機する。
【０１０７】
一方、基地局装置１１は、認証対象装置１３ａから認証結果要求を受信する。これにより、基地局装置１１のＣＰＵは、ステップ４２５にて「Ｙｅｓ」と判定してステップ４３０へ進み、認証成功情報を認証結果情報として認証対象装置１３ａへ送信する（認証成功情報送信工程の一部）。
【０１０８】
そして、ＣＰＵは、記憶装置に記憶されている移動局装置識別子のうちの、認証対象装置１３ａを識別するための認証対象装置識別子「ＰＣＡ」と対応付けられた移動局装置識別子「ＫＡ」を取得する。次いで、ＣＰＵは、取得した移動局装置識別子「ＫＡ」により識別される移動局装置１２ａへ、認証対象装置１３ａの認証が成功した旨を表す認証成功通知を送信する（ステップ４３５、認証成功通知送信工程）。
【０１０９】
その後、ＣＰＵは、ステップ４０５へ戻り、ステップ４０５〜ステップ４３５の処理を繰り返し実行する。
なお、ＣＰＵがステップ４１５にて認証成功情報を送信した時に、認証対象装置１３ａが起動していた場合、認証成功情報の送信が成功するので、ＣＰＵは、ステップ４２０にて「Ｎｏ」と判定して、ステップ４２５〜ステップ４３０の処理を実行することなくステップ４３５以降の処理を実行する。
【０１１０】
一方、認証対象装置１３ａのＣＰＵは、基地局装置１１から認証結果情報を受信する（ステップ５１０）。そして、ＣＰＵは、ステップ５１５に進み、受信した認証結果情報が認証成功情報であるか否かを判定する。ここでは、認証結果情報が認証成功情報であるので、ＣＰＵは、「Ｙｅｓ」と判定してステップ５２０へ進む。
【０１１１】
そして、ＣＰＵは、受信した認証成功情報に含まれる動作特定情報「ＡＡ」により特定される認証成功時動作を実行する（動作実行工程の一部）。本例では、ＣＰＵは、ユーザが認証対象装置１３ａに任意の処理を実行させることが可能な状態に認証対象装置１３ａの状態を設定する。
その後、ＣＰＵは、この起動時認証処理プログラムの実行を終了する。
【０１１２】
一方、移動局装置１２ａのＣＰＵは、図６にフローチャートにより示した認証成功通知受信処理プログラムを、移動局装置１２ａの起動時に実行するようになっている。
【０１１３】
具体的に述べると、ＣＰＵは、認証成功通知受信処理プログラムの処理を開始すると、ステップ６０５にて、認証成功通知を受信するまで待機する。上記仮定に従えば、移動局装置１２ａは、基地局装置１１から認証成功通知を受信する。従って、移動局装置１２ａのＣＰＵは、ステップ６０５にて「Ｙｅｓ」と判定してステップ６１０へ進む。
【０１１４】
次いで、ＣＰＵは、ステップ６１０にて、認証成功通知、及び、停止指示情報の入力を促す情報を表す画像を出力する（ディスプレイに表示させる、認証成功通知出力工程）。これによれば、移動局装置１２ａのユーザに、認証対象装置１３ａの認証が成功した旨を認識させることができる。
【０１１５】
そして、ＣＰＵは、停止指示情報が入力されたか否かを判定する（ステップ６１５）。移動局装置１２ａのユーザが停止指示情報を入力しない場合、ＣＰＵは、「Ｎｏ」と判定してステップ６０５へ戻り、ステップ６０５〜ステップ６２０の処理を繰り返し実行する。
【０１１６】
一方、移動局装置１２ａのユーザが停止指示情報を入力した場合、ＣＰＵは、ステップ６１５にて「Ｙｅｓ」と判定してステップ６２０へ進む。そして、ＣＰＵは、実行停止指示を基地局装置１１へ送信する（実行停止指示送信工程）。ここで、実行停止指示は、停止指示情報に含まれる認証対象装置識別子「ＰＣＡ」及び動作特定情報「ＡＡ」を含む情報である。
その後、ＣＰＵは、ステップ６０５へ戻り、ステップ６０５〜ステップ６２０の処理を繰り返し実行する。
【０１１７】
基地局装置１１は、移動局装置１２ａから実行停止指示を受信すると、その実行停止指示に含まれる認証対象装置識別子「ＰＣＡ」により識別される認証対象装置１３ａへ、その実行停止指示を送信する（実行停止指示転送工程）。
【０１１８】
一方、認証対象装置１３ａのＣＰＵは、図７にフローチャートにより示した実行停止指示受信処理プログラムを、認証対象装置１３ａの起動時に実行するようになっている。
【０１１９】
具体的に述べると、ＣＰＵは、実行停止指示受信処理プログラムの処理を開始すると、ステップ７０５にて、実行停止指示を受信するまで待機する。上記仮定に従えば、認証対象装置１３ａは、基地局装置１１を介して移動局装置１２ａから実行停止指示を受信する。
【０１２０】
従って、ＣＰＵは、「Ｙｅｓ」と判定してステップ７１０に進み、受信した実行停止指示に含まれる動作特定情報により特定される認証成功時動作の実行を停止する（動作実行工程の一部）。本例では、ＣＰＵは、ユーザが認証対象装置１３ａに任意の処理を実行させることが不能な状態に認証対象装置１３ａの状態を設定する。
【０１２１】
これによれば、移動局装置１２ａのユーザは、認証対象装置１３ａの認証が成功した旨が通知された場合において、その認証対象装置１３ａによる認証成功時動作の実行を希望しないとき、その認証成功時動作の実行を停止させることができる。この結果、移動局装置１２ａのユーザの利便性を向上させることができる。
【０１２２】
その後、ＣＰＵは、ステップ７０５へ戻り、ステップ７０５〜ステップ７１０の処理を繰り返し実行する。
【０１２３】
次に、移動局装置１２ａが第１の在圏領域内に位置していない状態において、認証対象装置１３ａが起動された場合について説明する。
ところで、基地局装置１１のＣＰＵは、認証対象装置から認証結果要求を受信した場合であって、その認証対象装置と対応付けて記憶装置に記憶されている移動局装置識別子により識別される移動局装置が無線通信可能な状態にない場合、認証が失敗した旨を表す認証失敗情報を認証結果情報として、当該認証対象装置へ送信する。
【０１２４】
従って、上記仮定に従えば、認証対象装置１３ａが起動された際に、認証対象装置１３ａにより送信された認証結果要求（ステップ５０５）に応じて、基地局装置１１は、認証失敗情報を認証結果情報として認証対象装置１３ａへ送信する。
【０１２５】
従って、認証対象装置１３ａのＣＰＵは、ステップ５１５にて「Ｎｏ」と判定してステップ５２５へ進む。そして、ＣＰＵは、認証対象装置１３ａが不正に利用されている旨を表す不正利用通知を基地局装置１１へ送信する（ステップ５２５、不正利用通知送信工程）。ここで、不正利用通知は、認証対象装置１３ａを識別するための認証対象装置識別子「ＰＣＡ」を含む情報である。その後、ＣＰＵは、この起動時認証処理プログラムの実行を終了する。
【０１２６】
基地局装置１１は、認証対象装置１３ａから不正利用通知を受信すると、記憶装置に記憶されている移動局装置識別子のうちの、当該不正利用通知に含まれる認証対象装置識別子「ＰＣＡ」と対応付けられた移動局装置識別子「ＫＡ」を取得する。そして、基地局装置１１は、取得した移動局装置識別子「ＫＡ」により識別される移動局装置１２ａへ、上記不正利用通知を送信する（不正利用通知転送工程）。
【０１２７】
一方、移動局装置１２ａのＣＰＵは、図８にフローチャートにより示した不正利用通知受信処理プログラムを、移動局装置１２ａの起動時に実行するようになっている。
【０１２８】
具体的に述べると、ＣＰＵは、不正利用通知受信処理プログラムの処理を開始すると、ステップ８０５にて、不正利用通知を受信するまで待機する。上記仮定に従えば、移動局装置１２ａは、認証対象装置識別子「ＰＣＡ」を含む不正利用通知を受信する。
【０１２９】
従って、移動局装置１２ａのＣＰＵは、「Ｙｅｓ」と判定してステップ８１０へ進み、不正利用通知、及び、許可指示情報の入力を促す情報を表す画像を出力する（ディスプレイに表示させる、不正利用通知出力工程）。これによれば、移動局装置１２ａのユーザに、認証対象装置１３ａが不正に利用されている旨を認識させることができる。
【０１３０】
そして、ＣＰＵは、許可指示情報が入力されたか否かを判定する（ステップ８１５）。移動局装置１２ａのユーザが許可指示情報を入力しない場合、ＣＰＵは、「Ｎｏ」と判定してステップ８０５へ戻り、ステップ８０５〜ステップ８２０の処理を繰り返し実行する。
【０１３１】
一方、移動局装置１２ａのユーザが許可指示情報を入力した場合、ＣＰＵは、ステップ８１５にて「Ｙｅｓ」と判定してステップ８２０へ進む。そして、ＣＰＵは、実行許可指示を基地局装置１１へ送信する（実行許可指示送信工程）。実行許可指示は、許可指示情報に含まれる認証対象装置識別子「ＰＣＡ」及び動作特定情報「ＡＡ」を含む情報である。
その後、ＣＰＵは、ステップ８０５へ戻り、ステップ８０５〜ステップ８２０の処理を繰り返し実行する。
【０１３２】
基地局装置１１は、移動局装置１２ａから実行許可指示を受信すると、その実行許可指示に含まれる認証対象装置識別子「ＰＣＡ」により識別される認証対象装置１３ａへ、その実行許可指示を送信する（実行許可指示転送工程）。
【０１３３】
一方、認証対象装置１３ａのＣＰＵは、図９にフローチャートにより示した実行許可指示受信処理プログラムを、認証対象装置１３ａの起動時に実行するようになっている。
【０１３４】
具体的に述べると、ＣＰＵは、実行許可指示受信処理プログラムの処理を開始すると、ステップ９０５にて、認証成功情報、又は、実行許可指示を受信するまで待機する。上記仮定に従えば、認証対象装置１３ａは、基地局装置１１を介して移動局装置１２ａから実行許可指示を受信する。
【０１３５】
従って、ＣＰＵは、「Ｙｅｓ」と判定してステップ９１０に進み、受信した実行許可指示に含まれる動作特定情報により特定される認証成功時動作を実行する（動作実行工程の一部）。
【０１３６】
これによれば、移動局装置１２ａのユーザは、認証対象装置１３ａが不正に利用されている旨が通知された場合において、その認証対象装置１３ａによる認証成功時動作の実行を希望するとき、その認証成功時動作を実行させることができる。この結果、移動局装置１２ａのユーザ及び認証対象装置１３ａのユーザの利便性を向上させることができる。
【０１３７】
その後、ＣＰＵは、ステップ９０５へ戻り、ステップ９０５〜ステップ９１０の処理を繰り返し実行する。
【０１３８】
以上、説明したように、本発明による無線通信システムの実施形態によれば、移動局装置１２ａが基地局装置１１と通信可能な領域（第１の在圏領域）内に存在している場合、認証対象装置１３ａは、認証成功時動作を実行する。認証成功時動作は、例えば、ユーザが認証対象装置１３ａに任意の処理を実行させることが可能な状態に認証対象装置１３ａの状態を設定する動作、又は、特定の情報処理システムと通信可能な状態（ログイン状態）に認証対象装置１３ａの状態を設定する動作等である。
【０１３９】
これにより、移動局装置１２ａを保持する真のユーザが、認証対象装置１３ａの近傍に存在していない状態において、認証成功時動作が不正に実行されることを防止することができる。
【０１４０】
更に、上記無線通信システム１によれば、ユーザに認証情報（例えば、ユーザＩＤ及びパスワード）の入力を要求する画像を表示する必要がない。従って、認証成功時動作が実行されない原因がユーザに認識される可能性を低減することができる。この結果、ユーザが不正に認証対象装置１３ａ，１３ｂに認証成功時動作を実行させる可能性を低減する（即ち、認証対象装置１３ａ，１３ｂのセキュリティを高める）ことができる。
【０１４１】
このように、上記無線通信システム１によれば、認証成功時動作が不正に実行される可能性を低減することができる。加えて、上記無線通信システム１によれば、ユーザが認証情報を入力する必要がないので、認証対象装置１３ａ，１３ｂに認証成功時動作を実行させる際のユーザの手間を軽減することができる。
【０１４２】
また、上記無線通信システム１において、基地局装置１１は、フェムトセルを構成する基地局装置である。
ところで、フェムトセルを構成する無線通信システム１において、基地局装置１１及び移動局装置１２ａ，１２ｂは、比較的狭い領域にて無線通信可能となる。従って、移動局装置１２ａ，１２ｂを保持するユーザが認証対象装置１３ａ，１３ｂの近傍に存在している場合にのみ、認証対象装置１３ａ，１３ｂに認証成功時動作を実行させることができる。この結果、認証成功時動作が不正に実行される可能性をより一層確実に低減することができる。
【０１４３】
また、上記無線通信システム１によれば、認証対象装置１３ａ，１３ｂ及び認証成功時動作の組み合わせ毎に、認証処理に用いられる移動局装置１２ａ，１２ｂを設定することができる。この結果、ユーザの利便性を向上させることができる。
【０１４４】
なお、本発明は上記実施形態に限定されることはなく、本発明の範囲内において種々の変形例を採用することができる。例えば、上記実施形態においては、管理装置１２ｃは、携帯電話機であったが、パーソナル・コンピュータ等の情報処理装置であってもよい。また、上記実施形態の変形例において、管理装置１２ｃは、管理装置１２ｃの機能に加えて、移動局装置１２ａの機能を備えていてもよい。更に、上記実施形態の変形例において、各移動局装置１２ａ，１２ｂは、移動局装置１２ａ，１２ｂの機能に加えて、管理装置１２ｃの機能を備えていてもよい。
【０１４５】
また、上記実施形態の変形例において、基地局装置１１の識別子記憶部２３は、移動局装置識別子と、認証対象装置識別子と、動作特定情報と、不正利用通知先識別子と、を対応付けて記憶するように構成されていてもよい。ここで、不正利用通知先識別子は、不正利用通知の送信先となる移動局装置を識別するための識別子である。
【０１４６】
この場合、不正利用通知転送部２７は、不正利用通知を受信した場合、識別子記憶部２３に記憶されている不正利用通知先識別子のうちの、当該不正利用通知に含まれる認証対象装置識別子と対応付けられた不正利用通知先識別子により識別される移動局装置へ、上記不正利用通知を送信するように構成される。
【０１４７】
また、上記実施形態の変形例において、基地局装置１１の識別子記憶部２３は、移動局装置識別子と、認証対象装置識別子と、動作特定情報と、認証成功通知先識別子と、を対応付けて記憶するように構成されていてもよい。ここで、認証成功通知先識別子は、認証成功通知の送信先となる移動局装置を識別するための識別子である。
【０１４８】
この場合、認証成功通知送信部２６は、認証成功情報送信部２５により認証成功情報が認証対象装置１３ａ，１３ｂへ送信された場合、識別子記憶部２３に記憶されている認証成功通知先識別子のうちの、当該認証対象装置を識別するための認証対象装置識別子と対応付けられた認証成功通知先識別子により識別される移動局装置へ認証成功通知を送信するように構成される。
【０１４９】
また、図１０に示したように、上記実施形態の変形例に係る無線通信システム１００は、複数の移動局装置１１０ａ，１１０ｂ，…と、基地局装置１２０と、認証対象装置１３０と、を含む。基地局装置１２０は、移動局装置１１０ａ，１１０ｂ，…と無線通信することにより移動局装置１１０ａ，１１０ｂ，…と他の移動局装置との間の通信を中継する
【０１５０】
基地局装置１２０及び認証対象装置１３０は、互いに通信可能に構成される。
基地局装置１２０の機能は、識別子記憶部（識別子記憶手段）１２１と、移動局装置検出部（移動局装置検出手段）１２２と、認証成功情報送信部（認証成功情報送信手段）１２３と、を含む。
【０１５１】
識別子記憶部１２１は、移動局装置１１０ａ，１１０ｂ，…を識別するための移動局装置識別子と、認証対象装置１３０を識別するための認証対象装置識別子と、を対応付けて記憶する。
【０１５２】
移動局装置検出部１２２は、基地局装置１２０と無線通信可能な状態にある移動局装置１１０ａ，１１０ｂ，…を検出する。
認証成功情報送信部１２３は、移動局装置検出部１２２により検出された移動局装置１１０ａ，１１０ｂ，…を識別するための移動局装置識別子と対応付けられた認証対象装置識別子により識別される認証対象装置１３０へ、認証が成功した旨を表す認証成功情報を送信する。
【０１５３】
認証対象装置１３０の機能は、動作実行部（動作実行手段）１３１を含む。
動作実行部１３１は、基地局装置１２０から認証成功情報を受信した場合、所定の認証成功時動作を実行する。
この変形例によっても、上記実施形態と同様の作用及び効果を奏することができる。
【０１５４】
なお、上記実施形態において無線通信システム１の各機能は、ＣＰＵがプログラム（ソフトウェア）を実行することにより実現されていたが、回路等のハードウェアにより実現されていてもよい。
【０１５５】
また、上記実施形態の他の変形例として、上述した実施形態及び変形例の任意の組み合わせが採用されてもよい。
【産業上の利用可能性】
【０１５６】
本発明は、複数の携帯電話機と、フェムトセルを構成する基地局装置と、情報処理装置と、を含む携帯電話システム等に適用可能である。
【符号の説明】
【０１５７】
１      無線通信システム
１１    基地局装置
１２ａ，１２ｂ  移動局装置
１２ｃ  管理装置
１３ａ，１３ｂ  認証対象装置
２１    識別子転送部
２２    識別子記憶処理部
２３    識別子記憶部
２４    移動局装置検出部
２５    認証成功情報送信部
２６    認証成功通知送信部
２７    不正利用通知転送部
２８    指示転送部
３１    識別子送信部
３２    通知出力部
３３    指示送信部
４１    識別子送信部
４２    動作実行部
４３    不正利用通知送信部
５１    情報出力部
５２    対応情報送信部
１００  無線通信システム
１１０ａ，１１０ｂ，…  移動局装置
１２０  基地局装置
１２１  識別子記憶部
１２２  移動局装置検出部
１２３  認証成功情報送信部
１３０  認証対象装置
１３１  動作実行部
【図１】
2010268276.tif 000003
【図２】
2010268276.tif 000004
【図３】
2010268276.tif 000005
【図４】
2010268276.tif 000006
【図５】
2010268276.tif 000007
【図６】
2010268276.tif 000008
【図７】
2010268276.tif 000009
【図８】
2010268276.tif 000010
【図９】
2010268276.tif 000011
【図１０】
2010268276.tif 000012